(57)【要約】      （修正有）【課題】他人が触ったレバー等に触ることなく除菌消毒が行われる除菌消毒装置を提供する。【解決手段】除菌消毒装置１を、Ａｇイオン水を入れるためのＡｇイオン水容器２と、圧縮空気を発生するためのコンプレッサ３と、該コンプレッサへ電源を供給するための電源スイッチ回路１２と、前記Ａｇイオン水容器からのＡｇイオン水と前記コンプレッサからの圧縮空気とがそれぞれパイプ５，６を介して供給されるノズル４とで構成する。菌やウィルスには毒性を示すものの人体には毒性を示さないＡｇイオン水が、霧状にかけられて除菌消毒がなされる。【選択図】図１
0003157037.tif 000002
【実用新案登録請求の範囲】
【請求項１】
Ａｇイオン水を入れるためのＡｇイオン水容器と、
圧縮空気を発生するためのコンプレッサと、
該コンプレッサへ電源を供給するための電源スイッチ回路と、
前記Ａｇイオン水容器からのＡｇイオン水と前記コンプレッサからの圧縮空気とがそれぞれパイプを介して供給されるノズルとを具え、
該ノズルよりＡｇイオン水を噴霧するようにしたことを特徴とする除菌消毒装置。
【請求項２】
コンプレッサの電源スイッチ回路に、
人が所定距離内に存在していることを検知して該コンプレッサを作動させる近接スイッチ回路を
具えるようにしたことを特徴とする請求項１記載の除菌消毒装置。
【考案の詳細な説明】
【技術分野】
【０００１】
本考案は、ウィルスや菌等に対する除菌消毒装置に関するものである。
【背景技術】
【０００２】
不特定の公衆が利用する施設（例えば病院，保育園，店舗等）の出入口には、ウィルスや菌による感染を防ぐため、手を消毒する除菌消毒装置がしばしば置かれている。
そのような装置の殆どは、自分が手で操作して消毒するものである。例えば、アルコールを含む消毒液がプラスチック等の容器に入れられており、その容器のレバーを引いたり操作棒を押し下げたりすることにより、適量の消毒液を片方の掌にトロリと出すようにしたものとか、掌に噴霧するようにしたものである。いずれにしても、掌にかけた消毒液を両手でこすって広げて手全体を消毒する。
【０００３】
一方、食品工場とか病室とか食品店の厨房等のような部屋全体を殺菌消毒する装置としては、アルコールを含む消毒液とアルコールに非反応性ガスの高圧ボンベとホースに接続されたスプレーガン等を台車に搭載し、移動しながら消毒液を噴霧して部屋の壁面，床面，天井等を殺菌消毒するものもある（例えば下記の特許文献）。
【特許文献１】特開２００４−１０５２９４号公報
【考案の開示】
【考案が解決しようとする課題】
【０００４】
前記した従来装置のうち手でレバー等を操作するタイプのものは、一見手軽で便利そうに見えるものの、実際には利用する人が少ないという問題点があった。
最近、病院等の出入口に置いてある除菌消毒装置は、殆どがこのタイプのものである。しかし、それを使って自分の手を消毒しようとすると、必ずレバーなり操作棒に触る必要があるのであるが、そのレバーなり操作棒には多くの不特定多数の者が触っており、その中にはウィルスや菌等に感染している者がいることが予想される。そのようなことを連想して心理的に敬遠してしまい、実際問題としては思った程には利用されていないのが実情である。そのため、結局、消毒せずに入ってしまう人が多く、除菌消毒の実を挙げるには至っていない。
【０００５】
前記した従来装置のうち、台車に高圧ボンベ等を搭載してアルコールを含む消毒液をスプレーガンで噴霧するタイプのものは、装置が大型である上、噴霧されたアルコールは引火し易いので、タバコを吸っている人もいるような不特定多数の人が出入りする場所には、適さないという問題点があった。
本考案は、このような問題点を解決することを課題とするものである。
【課題を解決するための手段】
【０００６】
前記課題を解決するため、本考案の除菌消毒装置では、Ａｇイオン水を入れるためのＡｇイオン水容器と、圧縮空気を発生するためのコンプレッサと、該コンプレッサへ電源を供給するための電源スイッチ回路と、前記Ａｇイオン水容器からのＡｇイオン水と前記コンプレッサからの圧縮空気とがそれぞれパイプを介して供給されるノズルとを具える構成とし、該ノズルよりＡｇイオン水を噴霧して除菌消毒を行うこととした。
なお、コンプレッサの電源スイッチ回路は、人が所定距離内に存在していることを検知して該コンプレッサを作動させる近接スイッチ回路を具える構成としてもよい。
【考案の効果】
【０００７】
本考案の除菌消毒装置によれば、次のような効果を奏する。
１．自分で除菌消毒装置に触って操作しなくともＡｇイオン水の噴霧はなされるので、装置を介しての感染を心配することなく、誰しもＡｇイオン水の霧を身に受けることが出来る。そのため、除菌消毒効果の実を挙げることが出来る。
２．Ａｇイオン水は霧状にしても引火の恐れはないので、不特定多数の人が出入りする所で噴霧しても危険を招く恐れがない。
３．噴霧されたＡｇイオン水は衣服等にも付着し、そこに付着しているウィルスや菌等を除菌する。
【考案を実施するための最良の形態】
【０００８】
以下、本考案の実施形態を図面に基づいて詳細に説明する。
図１は、本考案の除菌消毒装置の構成を説明する図である。図１において、１は除菌消毒装置、２はＡｇイオン水容器、３はコンプレッサ、４はノズル、５，６はパイプ、７はスイッチ、８は電源、９はスイッチ、１０は近接センサー、１１は近接スイッチ回路、１２は電源スイッチ回路である。
【０００９】
Ａｇイオン水容器２はＡｇイオン水を入れるための容器であり、これとノズル４とはパイプ５で接続されている。Ａｇイオン水は、パイプ５を経てノズル４に供給される。Ａｇイオン水は、Ａｇイオンを溶け込ませた水である。
コンプレッサ３は、圧縮空気を発生するためのものであり、これとノズル４とはパイプ６で接続されている。圧縮空気は、パイプ６を経てノズル４に供給される。
ノズル４に供給されるＡｇイオン水に圧縮空気が加えられることにより、ノズル４からはＡｇイオン水が霧状にして噴出される。噴霧されたＡｇイオン水が手や顔や衣服に付着することにより、その付着部分を除菌消毒する。
【００１０】
Ａｇイオンは、銀（Ａｇ）の原子から電子が飛び出して出来た陽イオンである。電子の大きさは銀原子の大きさに比べて無視し得る程に小さいから、Ａｇイオンの大きさは銀原子の大きさとほぼ同じである。Ａｇイオン水は、例えば水中の純銀電極に電流を流し、水中にＡｇイオンを発生させることにより生成される。Ａｇイオン水では、水分子と水分子との間にＡｇイオンが混在して単独で存在することになる。
【００１１】
このようなＡｇイオン水を菌やウィルスにふりかけると、Ａｇイオンが菌等の細胞の中に侵入し、細胞の遺伝子が分離するのを阻止して細胞を死滅させてしまう。これにより除菌消毒がなされる。Ａｇイオンがほとんどの病原菌に対してこのような作用効果を有することは、いろいろな機関（例、アリゾナ大学）で証明されている。
なおＡｇイオンには、微生物に対しては毒性を示すが人や動物に対しては毒性を示さないとか、使用しても耐性菌が出来にくいとか、除菌持続力が長いとかといった、除菌消毒用剤として用いるのに有利な特徴を有している。また、悪臭の発生源は微生物であるが、Ａｇイオンはそれを死滅させるので、消臭の効果も奏する。
【００１２】
コンプレッサ３は、電源スイッチ回路１２を経て電源８に接続されている。電源スイッチ回路１２はスイッチ７のみで構成しても良いし、近接スイッチ回路１１のみで構成してもよい。スイッチ７と近接スイッチ回路１１の両方を具えるよう構成してもよい。
近接スイッチ回路１１は、スイッチ９と近接センサー１０の直列回路とされている。近接センサー１０は、人が所定距離内に存在していることを検知したらオンし、存在しなくなったらオフするセンサである。
【００１３】
Ａｇイオン水容器２にＡｇイオン水が入れられ、コンプレッサ３が作動させられたときに除菌消毒装置１は動作するが、コンプレッサ３の作動要領は次の通りである。
（１）電源スイッチ回路１２をスイッチ７のみで構成した場合
コンプレッサ３を作動させたいとき、スイッチ７をオンする。コンプレッサ３は直ちに電源８に接続され、オンされている限り作動を継続する。
この構成は、人の出入りが極めて頻繁な施設の出入口等で使用するのに適している。常に人が近くを通るわけであるから、スイッチをいちいち入れたり切ったりするまでもなく、常時作動させておきたいからである。
【００１４】
（２）電源スイッチ回路１２を近接スイッチ回路１１のみで構成した場合
予めスイッチ９をオンしておく。人が所定距離内に近づかない限り近接センサー１０はオフであるので、コンプレッサ３は電源８に接続されず、作動しない。人が所定距離内に近づくと近接センサー１０はオンとなり、近接スイッチ回路１１全体がオンとなる。そこで初めてコンプレッサ３は電源８に接続され、作動を開始する。人が居なくなれば近接センサー１０はオフとなり、噴霧は停止される。
この構成は、人の出入りがそれほど頻繁ではない施設の出入口等で使用するのに適している。
【００１５】
（３）電源スイッチ回路１２をスイッチ７と近接スイッチ回路１１両方で構成する場合
上記した（１）の使い方と（２）の使い方を、時や曜日に応じて使い分けることが出来る。
【００１６】
図２は、本考案の除菌消毒装置の外観の一例を示す図である。符号は図１のものに対応し、１３はガイドカバー，１４はふた、１５は残量監視窓である。なお電源スイッチ回路１２の近接センサー１０は、通行する人を検知し得る装置前面の適宜位置に設け、スイッチ７，９等はガイドカバー１３の背部なり側部なりの、人が操作し易い箇所に設けることが出来る（図示省略）。
ガイドカバー１３は、ノズル４より噴出されるＡｇイオン水の霧を、除菌消毒装置１の後方には流れさせず、前方にガイドするためのカバーである。消毒対象である人は、除菌消毒装置１の前方に居るからである。
【００１７】
残量監視窓１５は、除菌消毒装置１の前面を覆っているカバー板に開けられた縦長の窓である。この窓から、内部に置かれているＡｇイオン水容器２内のＡｇイオン水残量を監視することが出来る。
ふた１４は、Ａｇイオン水容器２のふたである。残量監視窓１５で見ていて残量が少なくなったときには、このふた１４を開けてＡｇイオン水を補給する。
【００１８】
以上のような本考案の除菌消毒装置は、自分で除菌消毒装置に触って操作しなくともＡｇイオン水の噴霧がなされるので、装置を介しての感染を心配することなく除菌消毒を受けることが出来る。出入りする人が皆除菌消毒されることになるので、除菌消毒効果の実を挙げることが出来る。
またＡｇイオン水はアルコール等とは違って霧状にしても引火の恐れはないので、火事や爆発を引き起こす危険はない。
更に、噴霧されたＡｇイオン水は手や顔のみならず衣服等にも広く付着し、そこに付着しているウィルスや菌等を除菌してくれる効果も奏する。
【図面の簡単な説明】
【００１９】
【図１】本考案の除菌消毒装置の構成を説明する図
【図２】本考案の除菌消毒装置の概観の一例を示す図
【符号の説明】
【００２０】
１…除菌消毒装置、２…Ａｇイオン水容器、３…コンプレッサ、４…ノズル、５，６…パイプ、７…スイッチ、８…電源、９…スイッチ、１０…近接センサー、１１…近接スイッチ回路、１２…電源スイッチ回路、１３…ガイドカバー、１４…ふた、１５…残量監視窓
【図１】
0003157037.tif 000003
【図２】
0003157037.tif 000004